(57)【要約】【課題】破損なく設置でき、簡単な作業で確実に目地を覆うことができ、しかも、防砂耐久性の高いコンクリート構造物及びその連結構造並びにその施工方法を提供する。【解決手段】複数が横に並べられ連結されるコンクリート構造物１００において、隣接するコンクリート構造物１００との目地１１に沿って一方の端部に基端が固定された下層及び上層の帯状可撓シート材１３Ｌ，１３Ｕと、隣接するコンクリート構造物１００との目地１１に沿って他方の端部に基端が固定され先端が下層及び上層の帯状可撓シート材１３Ｌ，１３Ｕの間に挟入される中層の帯状可撓シート材１３Ｍとを設けた。コンクリート構造物１００は、中層の帯状可撓シート材１３Ｍの基端に沿って複数の環材を固定し、環材には両端がコンクリート構造物１００に固定された紐材を挿通し、上層の帯状可撓シート材の長手方向にはこの紐材に係止するフック部材を複数固定することが好ましい。【選択図】      図１
2010065472.tif 000002
【特許請求の範囲】
【請求項１】
複数が横に並べられ連結されるコンクリート構造物であって、
隣接するコンクリート構造物との目地に沿って一方の端部に基端が固定された下層及び上層の帯状可撓シート材と、
隣接するコンクリート構造物との目地に沿って他方の端部に基端が固定され先端が前記下層及び上層の帯状可撓シート材の間に挟入される中層の帯状可撓シート材と、
前記中層の帯状可撓シート材と前記上層の帯状可撓シート材を固定する固定手段と、
を具備したことを特徴とするコンクリート構造物。
【請求項２】
請求項１記載のコンクリート構造物であって、
前記中層の帯状可撓シート材の基端の長手方向と、前記上層の帯状可撓シート材の上面の長手方向には、一方に紐材が保持され、他方に該紐材が係止するフック部材が複数固定されており、
前記紐材と前記フック部材とで前記固定手段を構成することを特徴とするコンクリート構造物。
【請求項３】
請求項１記載のコンクリート構造物であって、
前記中層の帯状可撓シート材の基端の長手方向と、前記上層の帯状可撓シート材の上面の長手方向には、それぞれ紐材が保持され、
該紐材を係止する複数のフック部材で前記中層の帯状可撓シート材と前記上層の帯状可撓シート材を固定され、
前記各紐材と前記フック部材とで前記固定手段を構成することを特徴とするコンクリート構造物。
【請求項４】
請求項２又は３記載のコンクリート構造物であって、
先端を基端に向かって筒状に巻いた前記上層の帯状可撓シート材を基端に保持する複数の上層保持テープと、
先端を基端に向かって筒状に巻いた前記下層の帯状可撓シート材を前記上層の帯状可撓シート材に保持する複数の下層保持テープと、
先端を基端に向かって筒状に巻いた前記中層の帯状可撓シート材を基端に保持する中層保持テープと、
を具備することを特徴とするコンクリート構造物。
【請求項５】
複数のコンクリート構造物を横に並べ、その目地を帯状可撓シート材にて覆うコンクリート構造物の連結構造であって、
前記目地を挟み一方のコンクリート構造物との目地に沿う端部には下層及び上層の可撓シート材が基端を固定して設けられ、他方のコンクリート構造物との目地に沿う端部には中層の帯状可撓シート材が基端を固定して設けられ、
前記下層及び上層の帯状可撓シート材の間に、前記中層の帯状可撓シート材の先端が挟入されて前記目地が３層の前記帯状可撓シート材にて覆われることを特徴とするコンクリート構造物の連結構造。
【請求項６】
請求項５記載のコンクリート構造物の連結構造であって、
前記３層の帯状可撓シート材が、前記目地を覆うとともに、前記コンクリート構造物の後端よりも延出するよう延長形成され、前記コンクリート構造物を複数横に並べた状態で、前記帯状可撓シート材の延長部分が設置地盤面を覆うことを特徴とするコンクリート構造物の連結構造。
【請求項７】
請求項４記載のコンクリート構造物を用いた施工方法であって、
水中に、帯状可撓シート材が埋立側となる向きで複数の前記コンクリート構造物を横に並べ、
前記下層保持テープを切断して下層の帯状可撓シート材で隣接するコンクリート構造物との間の目地を覆い、
前記中層保持テープを切断して前記中層の帯状可撓シート材を該下層の帯状可撓シート材の表面に重ね、
前記上層保持テープを切断して前記上層の帯状可撓シート材を該中層の帯状可撓シート材の表面に重ねた後、
前記紐材に前記フック部材を順次係止して前記上層の帯状可撓シート材と前記中層の帯状可撓シート材を保持することを特徴とするコンクリート構造物の施工方法。
【発明の詳細な説明】
【技術分野】
【０００１】
本発明は、土砂吸出防止用の帯状可撓シート材を備えたコンクリート構造物及びその連結構造並びにその施工方法に関する。
【背景技術】
【０００２】
干拓、埋立、防潮用などの堤防における土砂吸出防止、法面の洗掘防止、及びケーソンやコンクリートブロック、Ｌ形ブロックの護岸用として、その目地を覆う帯状可撓シート材（以下、「防砂板」とも称す。）が用いられる（例えば特許文献１参照）。
【０００３】
例えば、護岸構造体は、護岸のために、複数のコンクリート構造物が、海岸、河岸、湖岸等の沿岸に沿って、一列に整列するように並べて水中に沈められ、そのコンクリート構造物と対面する陸側との間を埋め立て構築される。防砂板は、隣接するこれらコンクリート構造物との間の目地を陸側にて覆って設けられる。また、防砂板は、護岸、堤防基礎部の洗掘防止の沈床用シートとしても使用される。
【０００４】
このようにして構築された護岸構造体には、湾口から侵入する回折波や、消波堤を越波・透過する伝達波が頻繁に押し寄せてくるため、目地を介しての土砂吸出防止の対策が重要となる。防砂板は、埋立による土圧にてコンクリート構造物に押し付けられて密着し、目地を水密に塞ぐことで、目地からの土砂吸出を防止し、潮の干満、波浪浸水等によって、護岸の陥没を引き起こすことを防止する。
【特許文献１】実公昭６０−１９１３２号公報
【発明の開示】
【発明が解決しようとする課題】
【０００５】
しかしながら、防砂板は、陸上にてコンクリート構造物に設置した後に、海上曳航して海中に設置する場合、潮流や曳航力により、バタツクことが頻発し、破損する等の問題があった。破損したり、強度の低下した防砂板は、土圧により裂けやすく、土砂吸出防止効果を低下させた。また、防砂板の施工現場での接続は、一般的に、埋立前の水中工事において行われ、潜水夫による視界不良の中で施工されることが多い。このため、手さぐりで作業を行わなければならず、防砂板の位置確認、コンクリート構造物ヘの取り付け、接続金具による接続すらも困難であった。
【０００６】
本発明は上記状況に鑑みてなされたもので、破損なく設置でき、簡単な作業で確実に目地を覆うことができ、しかも、防砂耐久性の高いコンクリート構造物及びその連結構造並びにその施工方法を提供することにある。
【課題を解決するための手段】
【０００７】
次に、上記の課題を解決するための手段を、実施の形態に対応する図面を参照して説明する。
本発明の請求項１記載のコンクリート構造物は、複数が横に並べられ連結されるコンクリート構造物１００であって、
隣接するコンクリート構造物１００との目地１１に沿って一方の端部３Ｒに基端１３ａが固定された下層及び上層の帯状可撓シート材１３Ｌ，１３Ｕと、
隣接するコンクリート構造物１００との目地１１に沿って他方の端部３Ｌに基端１３ａが固定され先端１３ｂが前記下層及び上層の帯状可撓シート材１３Ｌ，１３Ｕの間に挟入される中層の帯状可撓シート材１３Ｍと、
前記中層の帯状可撓シート材１３Ｍと前記上層の帯状可撓シート材１３Ｕを固定する固定手段と、
を具備したことを特徴とする。
【０００８】
このコンクリート構造物では、陸上にてコンクリート構造物１００に帯状可撓シート材１３Ｌ，１３Ｕ，１３Ｍが設置可能となり、水中での帯状可撓シート材設置の施工手間が省ける。下層及び上層の帯状可撓シート材１３Ｌ，１３Ｕの間に中層の帯状可撓シート材１３Ｍを入れた３層の防砂構造が形成される。そして、固定手段にて、中層と上層の帯状可撓シート材１３Ｍ，１３Ｕが固定される。
【０００９】
請求項２記載のコンクリート構造物は、請求項１記載のコンクリート構造物であって、
前記中層の帯状可撓シート材１３Ｍの基端１３ａの長手方向と、前記上層の帯状可撓シート材１３Ｕの上面の長手方向には、一方に紐材２３が保持され、他方に該紐材２３が係止するフック部材２５が複数固定されており、
前記紐材２３と前記フック部材２５とで前記固定手段を構成することを特徴とする。
【００１０】
このコンクリート構造物では、中層の帯状可撓シート材１３Ｍと、上層の帯状可撓シート材１３Ｕのいずれか一方の長手方向に沿って紐材２３が延在され、他方の長手方向には所望の間隔でフック部材２５が係止され、中層の帯状可撓シート材１３Ｍと上層の帯状可撓シート材１３Ｕが、水中においても簡単な作業により、捲れ規制されて、保持される。
【００１１】
請求項３記載のコンクリート構造物は、請求項１記載のコンクリート構造物であって、
前記中層の帯状可撓シート材１３Ｍの基端１３ａの長手方向と、前記上層の帯状可撓シート材１３Ｕの上面の長手方向には、それぞれ紐材２３が保持され、
該紐材２３を係止する複数のフック部材２５で前記中層の帯状可撓シート材１３Ｍと前記上層の帯状可撓シート材１３Ｕを固定され、
前記各紐材２３と前記フック部材２５とで前記固定手段を構成することを特徴とする。
【００１２】
このコンクリート構造物では、中層の帯状可撓シート材１３Ｍの基端１３ａの長手方向と、上層の帯状可撓シート材１３Ｕの上面の長手方向に、それぞれ紐材２３が延在されており、これら紐材２３が複数のフック部材２５が係止されることで、中層の帯状可撓シート材１３Ｍと上層の帯状可撓シート材１３Ｕとが、簡単な作業によって、捲れ規制されて、固定保持される。
【００１３】
請求項４記載のコンクリート構造物は、請求項２又は３記載のコンクリート構造物であって、
先端を基端に向かって筒状に巻いた前記上層の帯状可撓シート材１３Ｕを基端に保持する複数の上層保持テープ２７Ｕと、
先端を基端に向かって筒状に巻いた前記下層の帯状可撓シート材１３Ｌを前記上層の帯状可撓シート材１３Ｕに保持する複数の下層保持テープ２７Ｌと、
先端を基端に向かって筒状に巻いた前記中層の帯状可撓シート材１３Ｍを基端に保持する中層保持テープ２７Ｍと、
を具備することを特徴とする。
【００１４】
このコンクリート構造物では、コンクリート構造物１００に固定されたそれぞれの帯状可撓シート材１３Ｕ，１３Ｌ，１３Ｍが筒状に丸められてコンパクトとなり、海上曳航時や、コンクリート構造物設置時に場所をとらず、また、水中でバタツクことがなくなる。
【００１５】
請求項５記載のコンクリート構造物の連結構造は、複数のコンクリート構造物１００を横に並べ、その目地１１を埋立側となる陸１側から帯状可撓シート材１３Ｕ，１３Ｌ，１３Ｍにて覆うコンクリート構造物１００の連結構造であって、
前記目地１１を挟み一方のコンクリート構造物１００との目地１１に沿う端部３Ｒには下層及び上層の可撓シート材１３Ｌ，１３Ｕが基端１３ａを固定して設けられ、他方のコンクリート構造物１００との目地１１に沿う端部３Ｌには中層の帯状可撓シート材１３Ｍが基端１３ａを固定して設けられ、
前記下層及び上層の帯状可撓シート材１３Ｌ，１３Ｕの間に、前記中層の帯状可撓シート材１３Ｍの先端１３ｂが挟入されて前記目地１１が３層の前記帯状可撓シート材１３Ｕ，１３Ｌ，１３Ｍにて覆われることを特徴とする。
【００１６】
このコンクリート構造物の連結構造では、３層に重ねられた帯状可撓シート材１３Ｕ，１３Ｌ，１３Ｍにより目地１１が覆われ、防砂強度が高められる。上下層の帯状可撓シート材１３Ｕ，１３Ｌの間に、中層の帯状可撓シート材１３Ｍが挟入され、隣接コンクリート構造物１００が離れる方向に移動して目地１１が離間しても、中層の帯状可撓シート材１３Ｍがスライドして水密状態を維持し続ける。
【００１７】
請求項６記載のコンクリート構造物の連結構造は、請求項５記載のコンクリート構造物の連結構造であって、
前記３層の帯状可撓シート材１３Ｕ，１３Ｌ，１３Ｍが、前記目地１１を覆うとともに、前記コンクリート構造物１００の後端よりも延出するよう延長形成され、前記コンクリート構造物１００を複数横に並べた状態で、前記帯状可撓シート材１３Ｕ，１３Ｌ，１３Ｍの延長部分が設置地盤面を覆うことを特徴とする。
【００１８】
このコンクリート構造物の連結構造では、３層に重ねられた帯状可撓シート材１３Ｕ，１３Ｌ，１３Ｍにより目地１１が覆われるとともに、コンクリート構造物１００の後端よりも延出することで、このコンクリート構造物１００の後端を覆うとともに、設置地盤面をも覆い、横に並ぶ複数のコンクリート構造物１００の目地１１が地盤から連続して塞がれ埋立土砂を覆うこととなり、この目地１１からの埋立土砂が流出することがなく、また、浸水も防止される。
【００１９】
請求項７記載のコンクリート構造物の施工方法は、請求項４記載のコンクリート構造物を用いた施工方法であって、
水中に、帯状可撓シート材１３Ｕ，１３Ｌ，１３Ｍが埋立側となる向きで複数の前記コンクリート構造物１００を横に並べ、
前記下層保持テープ２７Ｌを切断して下層の帯状可撓シート材１３Ｌで隣接するコンクリート構造物１００との間の目地１１を覆い、
前記中層保持テープ２７Ｍを切断して前記中層の帯状可撓シート材１３Ｍを該下層の帯状可撓シート材１３Ｌの表面に重ね、
前記上層保持テープ２７Ｕを切断して前記上層の帯状可撓シート材１３Ｕを該中層の帯状可撓シート材１３Ｍの表面に重ねた後、
前記紐材２３に前記フック部材２５を順次係止して前記上層の帯状可撓シート材１３Ｕと前記中層の帯状可撓シート材１３Ｍを保持することを特徴とする。
【００２０】
このコンクリート構造物の施工方法では、水中で潜水夫が隣接コンクリート構造物１００の帯状可撓シート材１３Ｕ，１３Ｌ，１３Ｍを接続する場合、下層保持テープ２７Ｌ、中層保持テープ２７Ｍ、上層保持テープ２７Ｕが順次切断されると、筒状に丸められた帯状可撓シート材１３Ｕ，１３Ｌ，１３Ｍが自己の弾性力により面状に展開され、下層、中層、上層の順で各帯状可撓シート材１３Ｕ，１３Ｌ，１３Ｍが３層の重ね状態となる。そして、固定手段である紐材２３とフック部材２５とにより、帯状可撓シート材を層状に保持する。
【発明の効果】
【００２１】
本発明に係る請求項１記載のコンクリート構造物によれば、隣接するコンクリート構造物との目地に沿って一方の端部に下層及び上層の帯状可撓シート材を固定し、他方の端部に先端が下層及び上層の帯状可撓シート材の間に挟入される中層の帯状可撓シート材を固定したので、陸上にてコンクリート構造物に帯状可撓シート材を設置でき、水中での帯状可撓シート材設置の施工手間が省けるとともに、下層及び上層の帯状可撓シート材の間に中層の帯状可撓シート材を入れた３層構造で目地を塞ぐことができ、高い防砂耐久性を得ることができる。そして、固定手段にて、中層と上層の帯状可撓シート材を容易に固定でき、これによって帯状可撓シート材が捲れてしまうことがない。
【００２２】
請求項２記載のコンクリート構造物によれば、中層の帯状可撓シート材と上層の帯状可撓シート材とのいずれか一方の長手方向に沿って紐材が延在され、他方の長手方向には所望の間隔で複数のフック部材を複数固定したので、水中においても、紐材に、フック部材を係止するのみで、簡単な作業により、３層構造の帯状可撓シート材にて確実に目地を覆うことができる。
【００２３】
請求項３記載のコンクリート構造物では、中層の帯状可撓シート材の基端の長手方向と、上層の帯状可撓シート材の上面の長手方向に、それぞれ紐材が延在されており、これら紐材が複数のフック部材が係止されることで、中層の帯状可撓シート材と上層の帯状可撓シート材とが、簡単な作業によって、捲れ規制されて、固定保持される。
【００２４】
請求項４記載のコンクリート構造物によれば、筒状に巻いた上層の帯状可撓シート材を基端に保持する複数の上層保持テープと、筒状に巻いた下層の帯状可撓シート材を上層の帯状可撓シート材に保持する複数の下層保持テープと、筒状に巻いた中層の帯状可撓シート材を基端に保持する中層保持テープとを備えたので、それぞれの帯状可撓シート材をコンパクトに丸めることができ、海上曳航時や、コンクリート構造物設置時に場所をとらず、また、水中でバタツクことがないため、帯状可撓シート材を破損なく設置できる。
【００２５】
請求項５記載のコンクリート構造物の連結構造によれば、下層及び上層の帯状可撓シート材の間に、中層の帯状可撓シート材の先端を挟入して、目地を３層の帯状可撓シート材にて覆ったので、目地を覆うシート材の強度を高め、防砂耐久性を向上させることができる。また、上下層の帯状可撓シート材の間に、中層の帯状可撓シート材が挟入されるので、隣接コンクリート構造物が離れる方向に移動して目地が離間しても、中層の帯状可撓シート材がスライドして水密状態を維持し続けることができ、信頼性の高い防砂性能を得ることができる。この結果、地盤、及びコンクリート構造物等の収縮、圧力等に耐え、特に海岸などの堤防の土砂吸出防止用（防砂板）に有効使用できる。
【００２６】
請求項６記載のコンクリート構造物の連結構造によれば、目地を覆う３層の帯状可撓シート材が、コンクリート構造物の後端よりも延出することで、このコンクリート構造物の後端を覆うとともに、設置地盤面をも覆い、横に並ぶ複数のコンクリート構造物の各目地が地盤から連続して塞がれて埋立土砂にて覆うこととなり、この目地からの埋立土砂が流出することがなく、また、浸水も防止される。
【００２７】
請求項７記載のコンクリート構造物の施工方法によれば、帯状可撓シート材が埋立側となる向きでコンクリート構造物を横に並べ、下層保持テープ、中層保持テープ、上層保持テープを順次切断して目地を３層の帯状可撓シート材にて覆った後、紐材にフック部材を係止して上層の帯状可撓シート材と中層の帯状可撓シート材を保持するので、水中で潜水夫が隣接するコンクリート構造物の帯状可撓シート材を接続する場合、下層保持テープ、中層保持テープ、上層保持テープを順次切断するだけで、帯状可撓シート材を３層の重ね状態にでき、施工の手間を大幅に削減しながら、高い防砂性能で目地を塞ぐことができる。
【発明を実施するための最良の形態】
【００２８】
以下、本発明に係るコンクリート構造物及びその連結構造並びにその施工方法の好適な実施の形態を図面を参照して詳細に説明する。
図１は本発明に係るコンクリート構造物が使用された護岸構造体の斜視図、図２は図１に示したコンクリート構造物の斜視図である。
本実施の形態によるコンクリート構造物１００は、例えば複数が、海岸、河岸、湖岸等の沿岸に沿って、一列に整列するように横並べで水中に沈められ、そのコンクリート構造物１００と対面する陸１側との間を埋め立てて護岸構造体２００を構築する。
【００２９】
コンクリート構造物１００は、短尺の擁壁を成すコンクリートブロックとして本体３が形成される。本体３は底板（底版）５と、これに立設した垂直壁７との間に、三角形の控え壁９の二辺を接続してなる。底板５と垂直壁７は、Ｌ型を形成することから、重力式、半重力式の擁壁に比べ、垂直壁７の断面積は小さくて済む。Ｌ型本体３は、壁面に土地境界が接している場合等、つま先版が設けられない場合に好適に用いられる。なお、本体３は、つま先版を延出した逆Ｔ型とすることもできる。
【００３０】
垂直壁７の高さが高くなると、片持ち梁式擁壁では土圧が増大し、不経済な断面となる。そのため、図例のように、片持ち梁式擁壁の垂直壁７と底板５との間に三角形の控え壁９を入れ、垂直壁７と底板５を三辺固定の状態にて構成している。このような三辺固定とすることで、垂直壁７に生ずる応力を小さくすることができ、経済性を確保しながら壁高を大きくできる。この種の控え壁式本体３では、垂直壁７の高さを７ｍ以上とすることができる。
【００３１】
本体３の垂直壁７には、陸１側となる面３ａに、隣接するコンクリート構造物１００との目地１１に沿って帯状可撓シート材１３が設けられる。帯状可撓シート材１３は、底板５の上面にも延長して設けられる。帯状可撓シート材１３は、本体３の両端に、それぞれ異なる帯状可撓シート材１３（１３Ｕ，１３Ｍ，１３Ｌ）が設けられる。なお、図中、１５はコンクリート構造物１００を重機にて吊り持ちするときに使用されるフックを示す。
【００３２】
図３は図２に示したコンクリート構造物の下部正面図、図４は図３に示した環材及びフック部材を（ａ）、その側面視を（ｂ）、筒状に巻かれて保持された各帯状可撓シート材を（ｃ）で表した要部説明図、図５は３層に重ねられた帯状可撓シート材にて目地が塞がれた連結部の断面図、図６は紐材とフック部材により保持された上層、中層の帯状可撓シート材の斜視図である。
帯状可撓シート材１３は、隣接するコンクリート構造物１００との目地１１に沿って一方の端部３Ｒに基端１３ａ（図５参照）が固定された下層及び上層の帯状可撓シート材１３Ｌ，１３Ｕと、隣接するコンクリート構造物１００との目地１１に沿って他方の端部３Ｌに基端１３ａが固定され先端１３ｂが下層及び上層の帯状可撓シート材１３Ｌ，１３Ｕの間に挟入される中層の帯状可撓シート材１３Ｍとからなる。それぞれの帯状可撓シート材１３の基端１３ａは、本体３に植設された不図示のナットに、帯状の押さえ板１７の上からボルト１９が螺合されて固定される。
【００３３】
中層の帯状可撓シート材１３Ｍには、固定手段を構成する基端１３ａに沿って複数の環材２１が固定され、この環材２１には、両端が本体３に固定された紐材２３が挿通される。この紐材２３は、図示しないが、両端に結び目が形成され、或いは両端が環材２１に結びつけられるなどして、帯状可撓シート材１３Ｍから脱落しないように固定されている。また、上層の帯状可撓シート材１３Ｕの長手方向には、紐材２３に係止する固定手段を構成するフック部材２５が、環材２７を介して複数固定されている。フック部材２５は、バネ性を有する線材にて返しの設けられたクリップ状に形成され、或いはカラビナなどの一部が開閉自在な環状部材よりなり、水中においても、紐材２３に引っ掛ける動作で、容易に係止できるように構成されている。
【００３４】
図６に示すように、中層の帯状可撓シート材１３Ｍの長手方向に沿って連続して延在した紐材２３に、所望の間隔でフック部材２５が係止されることで、中層の帯状可撓シート材１３Ｍと上層の帯状可撓シート材１３Ｕが簡単な作業により、捲れ規制されて、保持されるようになっている。これにより、３層構造の帯状可撓シート材にて確実に目地が覆われる。
【００３５】
それぞれの帯状可撓シート材１３は、筒状にコンパクトに丸められて、設置現場まで保持されるようになっている。すなわち、上層の帯状可撓シート材１３Ｕは、先端１３ｂを基端に向かって筒状に巻いた状態で、外周が複数の上層保持テープ２７Ｕによって保持される。下層の帯状可撓シート材１３Ｌは、先端１３ｂを基端１３ａに向かって筒状に巻いた状態で、複数の下層保持テープ２７Ｌによって保持される。中層の帯状可撓シート材１３Ｍは、先端１３ｂを基端１３ａに向かって筒状に巻いた状態で、複数の中層保持テープ２７Ｍによって保持されている。
【００３６】
コンクリート構造物１００に固定されたそれぞれの帯状可撓シート材１３Ｕ，１３Ｌ，１３Ｍが筒状に丸められてコンパクトになることで、海上曳航時や、コンクリート構造物設置時に場所をとらず、また、水中でバタツクことがなくなる。これにより、帯状可撓シート材１３Ｕ，１３Ｌ，１３Ｍを破損させずに設置できるようになっている。
【００３７】
コンクリート構造物１００同士の連結構造では、目地１１を挟み一方のコンクリート構造物１００との目地１１に沿う端部３Ｒに下層及び上層の可撓シート材１３Ｌ，１３Ｕが設けられ、他方のコンクリート構造物１００との目地１１に沿う端部３Ｌに中層の帯状可撓シート材１３Ｍが設けられている。
【００３８】
すなわち、下層及び上層の帯状可撓シート材１３Ｌ，１３Ｕの間に、中層の帯状可撓シート材１３Ｍの先端１３ｂが挟入されて、目地１１が３層の帯状可撓シート材１３Ｕ，１３Ｌ，１３Ｍにて覆われることとなる。これにより、防砂強度が高められる。また、上下層の帯状可撓シート材１３Ｕ，１３Ｌの間に、中層の帯状可撓シート材１３Ｍが挟入され、隣接コンクリート構造物１００が離れる方向に移動して目地１１が離間しても、中層の帯状可撓シート材１３Ｍがスライドして水密状態を維持し続けることができる。
【００３９】
上記コンクリート構造物１００によれば、陸上にてコンクリート構造物１００に帯状可撓シート材１３を設置でき、水中での帯状可撓シート材設置の施工手間が省けるとともに、下層及び上層の帯状可撓シート材１３Ｌ，１３Ｕの間に中層の帯状可撓シート材１３Ｍを入れた３層構造で目地１１を塞ぐことができ、高い防砂耐久性を得ることができる。
【００４０】
また、上記コンクリート構造物１００の連結構造によれば、下層及び上層の帯状可撓シート材１３Ｌ，１３Ｕの間に、中層の帯状可撓シート材１３Ｍの先端１３ｂを挟入して、目地１１を３層の帯状可撓シート材１３Ｕ，１３Ｌ，１３Ｍにて覆うので、防砂耐久性を向上させることができる。
【００４１】
そして、上下層の帯状可撓シート材１３Ｕ，１３Ｌの間に、中層の帯状可撓シート材１３Ｍが挟入されるので、隣接コンクリート構造物１００が離れる方向に移動して目地１１が離間しても、中層の帯状可撓シート材１３Ｍがスライドして水密状態を維持し続けることができ、信頼性の高い防砂性能を得ることができる。この結果、地盤、及びコンクリート構造物等の収縮、圧力等に耐え、特に海岸などの堤防の土砂吸出防止用（防砂板）に有効使用できる。
【００４２】
なお、帯状可撓シート材１３Ｕ，１３Ｌ，１３Ｍは、図に示したように、垂直壁７、底板５に設けられる他、図１に示すように、底板５の後端より延出させ、底板５の後端面、さらには、地盤面を覆うものであってもよい。これにより、帯状可撓シート材１３は、潮の干満、波浪浸水等によって、護岸の陥没を引き起こすことを防止したり、護岸、堤防基礎部の洗掘防止の沈床用シートとしても使用される。また、法面の洗掘防止用目地材として使用されてもよい。
【００４３】
次に、上記コンクリート構造物の施工方法を説明する。
図７は帯状可撓シート材による目地塞ぎ作業の手順を（ａ）〜（ｅ）で表した説明図、図８は一部分が土砂にて埋め立てられた護岸構造体の斜視図である。
護岸構造体２００を構築するには、先ず、帯状可撓シート材１３を、陸上にて本体３に設置し、各帯状可撓シート材１３Ｕ，１３Ｌ，１３Ｍを下層保持テープ２７Ｌ、上層保持テープ２７Ｕ、中層保持テープ２７Ｍにて筒状に丸めてコンパクトに保持する。この際、環材２１及び紐材２３、フック部材２５も予め取り付けておくと、水中での作業を減らすことができる。
【００４４】
次いで、このコンクリート構造物１００を、海上曳航して、海中に設置する。なお、帯状可撓シート材１３Ｕ，１３Ｌ，１３Ｍは、水中に設置した後に、本体３に潜水夫が取り付けを行っても良い。
コンクリート構造物１００は、帯状可撓シート材１３Ｕ，１３Ｌ，１３Ｍが陸１側となる向きで、複数を横に並べる。これにより、図７（ａ）に示すように、目地１１を挟んで、上下層の帯状可撓シート材１３Ｕ，１３Ｌと、中層の帯状可撓シート材１３Ｍとが対向配置される。
【００４５】
次いで、図７（ｂ）に示すように、下層保持テープ２７Ｌを切断して、下層の帯状可撓シート材１３Ｌで隣接するコンクリート構造物１００との間の目地１１を覆う。
図７（ｃ）に示すように、中層保持テープ２７Ｍを切断して、中層の帯状可撓シート材１３Ｍを、下層の帯状可撓シート材１３Ｌの表面に重ねる。
図７（ｄ）に示すように、上層保持テープ２７Ｕを切断して、上層の帯状可撓シート材１３Ｕを中層の帯状可撓シート材１３Ｍの表面に重ねる。
【００４６】
その後、図７（ｅ）に示すように、紐材２３に、フック部材２５を順次係止して、上層の帯状可撓シート材１３Ｕと中層の帯状可撓シート材１３Ｍを保持する。なお、３層となり目地１１を覆う帯状可撓シート材１３Ｕ，１３Ｌ，１３Ｍは、コンクリート構造物１００の底板５の後端よりも延長形成され、この後端よりも延出して地盤面を覆い、すなわち目地１１部分から連続して塞ぎ、地面側を覆う。また、この帯状シート材１３Ｕ，１３Ｌ，１３Ｍの延長部分は、コンクリート構造物１００を海中に設置する以前に、各保持テープにて筒状に丸めて保持されるとともに、延出した下端側を上方に折り返して底板上面に保持される。この保持は、下端側を底板５のフック１５などに掛け、或いは、上記同様の保持テープを用いても良い。これによりコンクリート構造物１００の設置時に、帯状シート材１３Ｕ，１３Ｌ，１３Ｍの延長部分がばたつくことがなく、コンクリート構造物自体で地面（設置面）との間に挟んでしまうことがない。そして、地面への設置後に上方に折り返された下端部分を延長させて目地１１から地面へ覆うように配置する。
最後に、図８に示すように、土砂３１を埋立、護岸構造体２００の構築が完了する。
【００４７】
このように、この施工方法では、水中で潜水夫が隣接コンクリート構造物１００の帯状可撓シート材１３Ｕ，１３Ｌ，１３Ｍを接続する際、下層保持テープ２７Ｌ、中層保持テープ２７Ｍ、上層保持テープ２７Ｕが順次切断されることで、筒状に丸められた帯状可撓シート材１３Ｕ，１３Ｌ，１３Ｍが自己の弾性力により面状に展開され、下層、中層、上層の順で各帯状可撓シート材１３Ｕ，１３Ｌ，１３Ｍが３層の重ね状態となる。
【００４８】
したがって、上記コンクリート構造物の施工方法によれば、下層保持テープ２７Ｌ、中層保持テープ２７Ｍ、上層保持テープ２７Ｕを順次切断するだけで、帯状可撓シート材１３Ｕ，１３Ｌ，１３Ｍを３層の重ね状態にでき、施工の手間を大幅に削減しながら、高い防砂性能で目地を塞ぐことができる。
【００４９】
なお、上述した実施の形態では、固定手段を、中層の帯状可撓シート材１３Ｍに紐材２３を設け、上層の帯状可撓シート材１３Ｕにフック部材２５を設ける構成としたが、少なくともいずれか一方に紐材２３を設ける構成とすればよく、他方にフック部材２５として互いを係止し連結することとすればよい。また、双方の帯状可撓シート材１３Ｍ，１３Ｕに紐材２３を設けて、両紐材２３同士を、フック部材２５で連結係止することとしてもよい。このような構成とすれば、フック部材２５の取付位置が、両紐材２３の長手方向の所望の位置となり、取付位置の自由度が増すこととなり、また、取付作業時において、予め決められた正確な位置にフック部材２５を配置することなく、おおよその位置で作業を行うことができ、条件の悪い水中作業を容易なものとすることが可能となる。
【図面の簡単な説明】
【００５０】
【図１】本発明に係るコンクリート構造物が使用された護岸構造体の斜視図である。
【図２】図１に示したコンクリート構造物の斜視図である。
【図３】図２に示したコンクリート構造物の下部正面図である。
【図４】図３に示した環材及びフック部材を（ａ）、その側面視を（ｂ）、筒状に巻かれて保持された各帯状可撓シート材を（ｃ）で表した要部説明図である。
【図５】３層に重ねられた帯状可撓シート材にて目地が塞がれた連結部の断面図である。
【図６】紐材とフック部材により保持された上層、中層の帯状可撓シート材の斜視図である。
【図７】帯状可撓シート材による目地塞ぎ作業の手順を（ａ）〜（ｅ）で表した説明図である。
【図８】一部分が土砂にて埋め立てられた護岸構造体の斜視図である。
【符号の説明】
【００５１】
１…陸
３Ｌ…他方の端部
３Ｒ…一方の端部
１１…目地
１３…帯状可撓シート材
１３Ｌ…下層の帯状可撓シート材
１３Ｍ…中層の帯状可撓シート材
１３Ｕ…上層の帯状可撓シート材
１３ａ…基端
１３ｂ…先端
２１…環材
２３…紐材
２５…フック部材
２７Ｌ…下層保持テープ
２７Ｍ…中層保持テープ
２７Ｕ…上層保持テープ
１００…コンクリート構造物
【図１】
2010065472.tif 000003
【図２】
2010065472.tif 000004
【図３】
2010065472.tif 000005
【図４】
2010065472.tif 000006
【図５】
2010065472.tif 000007
【図６】
2010065472.tif 000008
【図７】
2010065472.tif 000009
【図８】
2010065472.tif 000010